【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
グラフィクスストリームが記録されている記録媒体であって、
グラフィクスストリームは、複数のグラフィクスデータ集合を含み、グラフィカルなボタン部材を含む対話画面を、動画ストリームの復号画像と合成させるものであり、
前記対話画面は、複数のボタン部材を含み、前記ボタン部材は、ノーマル状態、セレクテッド状態、アクティブ状態の何れかの状態をとり、グラフィクスストリームの内部は、ボタン部材の状態を制御する状態制御情報と、ボタン部材のノーマル状態を表すグラフィクスデータから構成される第１のグラフィクスデータ集合と、ボタン部材のセレクテッド状態を表すグラフィクスデータから構成される第２のグラフィクスデータ集合と、ボタン部材のアクティブ状態を表すグラフィクスデータから構成される第３のグラフィクスデータ集合とが、シーケンシャルに並べられており、
前記状態制御情報には、対話画面の初期表示において、デフォルトでセレクテッド状態となるボタン部材を指定する指定情報が記述されており、
対話画面の初期表示において、デフォルトでセレクテッド状態となるボタン部材が静的に確定している場合、当該ボタン部材のセレクテッド状態を構成するグラフィクスデータは、セレクテッド状態に対応する第２のグラフィクスデータ集合の先頭に配置されており、
前記記録媒体には、プレイリスト情報が記録されており、
前記プレイリスト情報は、メインパス情報、サブパス情報を含み、
前記メインパス情報は、
動画ストリームを、メインストリームとして指定して、そのメインストリームに対し、主たる再生区間を定義する情報であり、
前記サブパス情報は、
グラフィクスストリームを、サブストリームとして指定して、そのサブストリームに対し、前記主たる再生区間と同期すべき、従たる再生区間を定義する情報であり、
主たる再生区間の時間軸における同期時点を示す同期情報を含み、
前記複数のボタン部材を含む対話画面は、
動画ストリームに含まれる複数ピクチャのうち、メインパス情報にて指定された主たる再生区間内にあるものと合成して表示される
ことを特徴とする記録媒体。
【請求項２】
前記動画ストリームは、読出専用型の光ディスクに記録されており、
前記グラフィクスストリーム及びプレイリスト情報が記録された記録媒体は、前記光ディスクとは別の、書換可能な記録媒体である
ことを特徴とする請求項１記載の記録媒体。
【請求項３】
記録媒体に記録されたグラフィクスストリームをプレイリスト情報に基づき再生する再生装置であって、
前記プレイリスト情報は、メインパス情報、サブパス情報を含み、
前記メインパス情報は、動画ストリームを、メインストリームとして指定して、そのメインストリームに対し、主たる再生区間を定義する情報であり、
前記サブパス情報は、グラフィクスストリームを、サブストリームとして指定して、そのサブストリームに対し、前記主たる再生区間と同期すべき、従たる再生区間を定義する情報であり、
主たる再生区間の時間軸における同期時点を示す同期情報を含み、
前記グラフィクスストリームは、複数のグラフィクスデータ集合を含み、グラフィカルなボタン部材を含む対話画面を、動画ストリームの復号画像と合成させるものであり、
前記対話画面は、複数のボタン部材を含み、前記ボタン部材は、ノーマル状態、セレクテッド状態、アクティブ状態の何れかの状態をとり、グラフィクスストリームの内部は、ボタン部材の状態を制御する状態制御情報と、ボタン部材のノーマル状態を表すグラフィクスデータから構成される第１のグラフィクスデータ集合と、ボタン部材のセレクテッド状態を表すグラフィクスデータから構成される第２のグラフィクスデータ集合と、ボタン部材のアクティブ状態を表すグラフィクスデータから構成される第３のグラフィクスデータ集合とが、シーケンシャルに並べられており、
前記状態制御情報には、対話画面の初期表示において、デフォルトでセレクテッド状態となるボタン部材を指定する指定情報が記述されており、
対話画面の初期表示において、デフォルトでセレクテッド状態となるボタン部材が静的に確定している場合、当該ボタン部材のセレクテッド状態を構成するグラフィクスデータは、セレクテッド状態に対応する第２のグラフィクスデータ集合の先頭に配置されており、
前記再生装置は、
記録媒体からプレイリスト情報を読み出す読出手段と、
動画ストリームをデコードするビデオデコーダと、
グラフィクスストリームをデコードして、グラフィカルなボタン部材を含む対話画面を得るグラフィクスデコーダと、
デコードにより得られた対話画面を構成するグラフィックスデータが格納されるグラフィクスプレーンとを備え、
前記グラフィクスデコーダは、
第１、第２、第３のグラフィクスデータ集合に含まれるグラフィクスデータをデコードするグラフィクスプロセッサと、
デコードされた非圧縮グラフィクスデータを複数格納するオブジェクトバッファと、
グラフィクスコントローラとを備え、
前記グラフィクスコントローラは、
セレクテッド状態に対応する第２のグラフィクスデータ集合に属する非圧縮のグラフィクスデータをオブジェクトバッファから読み出して、グラフィクスプレーンに書き込み、複数のボタン部材を含む対話画面を、動画ストリームに含まれる複数ピクチャのうち、メインパス情報にて指定された主たる再生区間内にあるものと合成して表示する
ことを特徴とする再生装置。
【請求項４】
前記動画ストリームは、読出専用型の光ディスクに記録されており、
前記グラフィクスストリーム及びプレイリスト情報が記録された記録媒体は、前記光ディスクとは別の、書換可能な記録媒体である
ことを特徴とする請求項３記載の再生装置。
【請求項５】
グラフィクスストリームを記録媒体に記録する記録方法であって、
グラフィクスストリームは、複数のグラフィクスデータ集合を含み、グラフィカルなボタン部材を含む対話画面を、動画ストリームの復号画像と合成させるものであり、
前記対話画面は、複数のボタン部材を含み、前記ボタン部材は、ノーマル状態、セレクテッド状態、アクティブ状態の何れかの状態をとり、グラフィクスストリームの内部は、ボタン部材の状態を制御する状態制御情報と、ボタン部材のノーマル状態を表すグラフィクスデータから構成される第１のグラフィクスデータ集合と、ボタン部材のセレクテッド状態を表すグラフィクスデータから構成される第２のグラフィクスデータ集合と、ボタン部材のアクティブ状態を表すグラフィクスデータから構成される第３のグラフィクスデータ集合とが、シーケンシャルに並べられており、
前記状態制御情報には、対話画面の初期表示において、デフォルトでセレクテッド状態となるボタン部材を指定する指定情報が記述されており、
対話画面の初期表示において、デフォルトでセレクテッド状態となるボタン部材が静的に確定している場合、当該ボタン部材のセレクテッド状態を構成するグラフィクスデータは、セレクテッド状態に対応する第２のグラフィクスデータ集合の先頭に配置されており、
前記記録方法は、記録媒体にプレイリスト情報を記録し、
前記プレイリスト情報は、メインパス情報、サブパス情報を含み、
前記メインパス情報は、
動画ストリームを、メインストリームとして指定して、そのメインストリームに対し、主たる再生区間を定義する情報であり、
前記サブパス情報は、
グラフィクスストリームを、サブストリームとして指定して、そのサブストリームに対し、前記主たる再生区間と同期すべき、従たる再生区間を定義する情報であり、
主たる再生区間の時間軸における同期時点を示す同期情報を含み、
前記複数のボタン部材を含む対話画面は、
動画ストリームに含まれる複数ピクチャのうち、メインパス情報にて指定された主たる再生区間内にあるものと合成して表示される
ことを特徴とする記録方法。
【請求項６】
記録媒体に記録されたグラフィクスストリームをプレイリスト情報に基づき再生する処理をコンピュータ上で実現する再生方法であって、
前記プレイリスト情報は、メインパス情報、サブパス情報を含み、
前記メインパス情報は、動画ストリームを、メインストリームとして指定して、そのメインストリームに対し、主たる再生区間を定義する情報であり、
前記サブパス情報は、グラフィクスストリームを、サブストリームとして指定して、そのサブストリームに対し、前記主たる再生区間と同期すべき、従たる再生区間を定義する情報であり、
主たる再生区間の時間軸における同期時点を示す同期情報を含み、
前記グラフィクスストリームは、複数のグラフィクスデータ集合を含み、グラフィカルなボタン部材を含む対話画面を、動画ストリームの復号画像と合成させるものであり、
前記対話画面は、複数のボタン部材を含み、前記ボタン部材は、ノーマル状態、セレクテッド状態、アクティブ状態の何れかの状態をとり、グラフィクスストリームの内部は、ボタン部材の状態を制御する状態制御情報と、ボタン部材のノーマル状態を表すグラフィクスデータから構成される第１のグラフィクスデータ集合と、ボタン部材のセレクテッド状態を表すグラフィクスデータから構成される第２のグラフィクスデータ集合と、ボタン部材のアクティブ状態を表すグラフィクスデータから構成される第３のグラフィクスデータ集合とが、シーケンシャルに並べられており、
前記状態制御情報には、対話画面の初期表示において、デフォルトでセレクテッド状態となるボタン部材を指定する指定情報が記述されており、
対話画面の初期表示において、デフォルトでセレクテッド状態となるボタン部材が静的に確定している場合、当該ボタン部材のセレクテッド状態を構成するグラフィクスデータは、セレクテッド状態に対応する第２のグラフィクスデータ集合の先頭に配置されており、
前記再生方法は、
記録媒体からプレイリスト情報を読み出す読出ステップと、
動画ストリームをデコードするビデオデコードステップと、
グラフィクスストリームをデコードして、グラフィカルなボタン部材を含む対話画面を得るグラフィクスデコードステップとを有し、
前記グラフィクスデコードステップは、
第１、第２、第３のグラフィクスデータ集合に含まれるグラフィクスデータをデコードするグラフィクスプロセスステップと、
グラフィクスコントロールステップとを有し、
前記グラフィクスコントロールステップは、
セレクテッド状態に対応する第２のグラフィクスデータ集合に属する非圧縮のグラフィクスデータをコンピュータにおけるオブジェクトバッファから読み出して、コンピュータにおけるグラフィクスプレーンに書き込み、複数のボタン部材を含む対話画面を、動画ストリームに含まれる複数ピクチャのうち、メインパス情報にて指定された主たる再生区間内にあるものと合成して表示する
ことを特徴とする再生方法。
【手続補正２】
【補正対象書類名】明細書
【補正対象項目名】発明の名称
【補正方法】変更
【補正の内容】
【発明の名称】記録媒体、再生装置、記録方法、再生方法
【手続補正３】
【補正対象書類名】明細書
【補正対象項目名】０００７
【補正方法】変更
【補正の内容】
【０００７】
上記目的を達成するため、本発明に係る記録媒体は、グラフィクスストリームが記録されている記録媒体であって、グラフィクスストリームは、複数のグラフィクスデータ集合を含み、グラフィカルなボタン部材を含む対話画面を、動画ストリームの復号画像と合成させるものであり、前記対話画面は、複数のボタン部材を含み、前記ボタン部材は、ノーマル状態、セレクテッド状態、アクティブ状態の何れかの状態をとり、グラフィクスストリームの内部は、ボタン部材の状態を制御する状態制御情報と、ボタン部材のノーマル状態を表すグラフィクスデータから構成される第１のグラフィクスデータ集合と、ボタン部材のセレクテッド状態を表すグラフィクスデータから構成される第２のグラフィクスデータ集合と、ボタン部材のアクティブ状態を表すグラフィクスデータから構成される第３のグラフィクスデータ集合とが、シーケンシャルに並べられており、前記状態制御情報には、対話画面の初期表示において、デフォルトでセレクテッド状態となるボタン部材を指定する指定情報が記述されており、対話画面の初期表示において、デフォルトでセレクテッド状態となるボタン部材が静的に確定している場合、当該ボタン部材のセレクテッド状態を構成するグラフィクスデータは、セレクテッド状態に対応する第２のグラフィクスデータ集合の先頭に配置されており、前記記録媒体には、プレイリスト情報が記録されており、前記プレイリスト情報は、メインパス情報、サブパス情報を含み、前記メインパス情報は、動画ストリームを、メインストリームとして指定して、そのメインストリームに対し、主たる再生区間を定義する情報であり、前記サブパス情報は、グラフィクスストリームを、サブストリームとして指定して、そのサブストリームに対し、前記主たる再生区間と同期すべき、従たる再生区間を定義する情報であり、主たる再生区間の時間軸における同期時点を示す同期情報を含み、前記複数のボタン部材を含む対話画面は、動画ストリームに含まれる複数ピクチャのうち、メインパス情報にて指定された主たる再生区間内にあるものと合成して表示されることを特徴としている。